(57)【要約】【課題】  伸縮性に乏しい生地で形成されたアウトドア用の上着におけるフードの着脱動作がしやすく、フード着用時における密着感を高めた上着を提供する。【解決手段】  着用者の頭部を覆うフード(11)と前身頃を左右に分かつフロントファスナ(13)とを備える上着(10)である。フード(11)によって形成される開口(12)の周囲全長を延ばすための拡開構造(20)を備える。拡開構造(20)は、開口(12)へ向かって上着(10)における生地を分離する拡開ファスナ(21)と、拡開ファスナ(21)によって分離された部位を拡開ファスナ(21)の内側で渡して襠となる拡開片(23)とを備える。前身頃における襟口付近および拡開片(23)は、着用者の身体側へ凸となるように湾曲させて形成する。拡開構造(20)をフロントファスナ(13)の左右いずれかに位置させ、拡開ファスナ(21)における開口(12)とは反対側の端部は、前身頃における切り替え線(16)によりも開口(12)側に位置させる。【選択図】  図１
2015124463.tif 000002
【特許請求の範囲】
【請求項１】
着用者の頭部を覆うフードと前身頃を左右に分かつフロントファスナとを備える上着であって、
フードによって形成される開口の周囲全長を延ばすための拡開構造を備え、
その拡開構造は、開口へ向かって上着における生地を分離する拡開ファスナと、
その拡開ファスナによって分離された部位を拡開ファスナの内側で渡して襠となる拡開片とを備えた上着。
【請求項２】
前記の拡開ファスナのスライダは、前記のフロントファスナのスライダよりも小さく形成した請求項１に記載の上着。
【請求項３】
拡開片の開口側の端部が前身頃における襟口に位置する場合において、その拡開片は、着用者の胸部から喉元を通って顎に至る曲線に沿うように湾曲させた請求項１または請求項２のいずれかに記載の上着。
【請求項４】
前記の拡開構造を前記のフロントファスナの左右いずれか一方または双方に位置させ、拡開ファスナにおける開口とは反対側の端部は、前身頃における切り替え線よりも開口側に位置させて形成した請求項１から請求項３のいずれかに記載の上着。
【請求項５】
前記のフードにおける開口の大きさを調整するフードアジャスタを襟側へ備えている場合に、そのフードアジャスタと前記のフロントファスナとの間に前記の拡開構造における拡開ファスナの端部が位置するように形成した請求項４に記載の上着。
【発明の詳細な説明】
【技術分野】
【０００１】
本発明は、アウトドア活動者、たとえば釣り人、アルピニスト、ハイカー、サイクリストなどが着用するフード付きの上着（アウターウェア）に関する。
【背景技術】
【０００２】
雨具などのパンツ（いわゆる「レインパンツ」、「レインズボン」）の裾口付近に、裾口の開口寸法を大きくすることができる拡開構造を備えたものがある。この拡開構造とは、裾付近を分かつことで開口寸法を広げることができるファスナを備えたものである。このファスナを開くことで裾口の開口寸法を大きくすることができるので、たとえば靴を履いたまま、この拡開構造を備えた雨具の脱ぎ着をすることができるようにしている。
【０００３】
雨具など防水性を備えた素材では、体内から発散される蒸気を封じ込めてしまうため、着用者が蒸れを感じる。その蒸れを軽減しつつ、防水性を確保するため、脇の下や背中などにベンチレーション構造を備えた上着もある。
ベンチレーション構造とは、ウェアを構成する生地の連続性を絶つことで着用者の身体側の空間と外気と連通させる窓を形成したものである。
【０００４】
さて、アウトドアスポーツなどで用いられる上着、たとえば防寒具や雨具兼用のウィンドブレーカなどに用いられる防風性を高めた生地は、伸縮性に乏しい。したがって、フードの着脱時には、フロントファスナを襟元で上げ下ろししていた。フロントファスナを下ろすことは、襟元において着用者の身体側と外気とが連通することとなる。その結果、当該上着と着用者の身体との空間に滞留していた暖かい空気が、外気と入れ替わってしまう。すなわち、着用者は、フードの着脱時に寒い思いをしていた。
【０００５】
この欠点を解消するため、首部開口に面した服地の部分に縦方向の「タック」を備えた上着が提供されている。そして、このタックを備えた上着としては、特許文献１に開示されたような技術がある。すなわち、タックとして織り込まれた部位に溜まってしまう雨水を排出しやすい形状を採用した「タック付き衣服」に係る。
【先行技術文献】
【特許文献】
【０００６】
【特許文献１】特開２００２−１６１４０６号公報
【発明の概要】
【発明が解決しようとする課題】
【０００７】
襟口にタックを備えておらず伸縮性に乏しい生地で形成されたアウトドア用の上着は、フードの着脱時に、フロントファスナを襟元で上げ下ろししていた。ただし、この寒さを不快であると感じるほどではなく、当たり前になってしまっていた。
特許文献１に開示された技術における「タック」は、着用者との密着感を緩めることとなってしまう。正面から強風を受けた場合に変形し、着用者の身体との空間に滞留していた暖かい空気が、外気と入れ替わってしまうこととなっていた。
【０００８】
本発明が解決しようとする課題は、アウトドア用の上着におけるフードの着脱動作がしやすく、フード着用時における密着感を高めた上着を提供することにある。
【課題を解決するための手段】
【０００９】
（第一の発明）
第一の発明は、  着用者の頭部を覆うフード(11)と前身頃を左右に分かつフロントファスナ(13)とを備える上着(10)に係る。
フード(11)によって形成される開口(12)の周囲全長を延ばすための拡開構造(20)を備え、  その拡開構造(20)は、開口(12)へ向かって上着(10)における生地を分離する拡開ファスナ(21)と、  その拡開ファスナ(21)によって分離された部位を拡開ファスナ(21)の内側で渡して襠となる拡開片(23)とを備える。
【００１０】
（用語説明）
「開口(12)」は、上着(10)の着用者がフードをかぶらない状態においては「襟口」となる。
「拡開ファスナ(21)」の一端は、必ず開口(12)へ達する。「拡開ファスナ(21)」の他端は、前身頃に位置させる場合のほか、フード(11)に位置させてもよい。
「拡開片(23)」は、開口(12)側を底辺とする二等辺三角形とすることが、製造のしやすさなどの条件から一般的である。ただし、拡開させた開口(12)の形状を意図して、二等辺三角形を基調として変形した形状となり得る（図９参照）。
【００１１】
「フロントファスナ(13)」は、前身頃を左右へ完全に分かつものに限られない。たとえば、フロントファスナの下端が着用者の胸部付近としているタイプの上着（「フードヤッケ」と称される）であってもよい。
「フロントファスナ(13)」は、前身頃を左右対称に分かつものが一般的であるが、デザイン的に左右のいずれかへずらしたものもある。本願発明は、いずれの場合も含むことを意図している。
【００１２】
（作用）
本発明に係る上着(10)の着用者がフード(12)を着脱しようという場合、フロントファスナ(13)とは別に備えられた拡開ファスナ(21)の開け閉めは、拡開片(23)が存在しているので、着用者の身体側と外気とを連通させない。そのため、上着(10)が備える防風性能を大きく下げることはない。
本発明に係る上着(10)の着用者は、上着(10)の下に襟巻きやネックウォーマーなどを着用していたとしても、フード(12)の着脱が楽に行える。
【００１３】
（第一の発明のバリエーション１）
第一の発明は、以下のように形成すると、より好ましい。
すなわち、前記の拡開ファスナ(21)のスライダ（拡開スライダ22）は、前記のフロントファスナ(13)のスライダ（フロントスライダ14）よりも小さく形成する。
【００１４】
（作用）
本発明に係る上着(10)の着用者は、フード(12)を着脱しようという場合に、拡開ファスナ(21)のスライダ(22)もフロントファスナ(13)のスライダ(14)も、目視できない。したがって、手探りで操作することになる。しかし、二つのスライダの大きさが異なっているので、いずれを操作しようとするかについては、手探りで把握できる。
【００１５】
（第一の発明のバリエーション２）
第一の発明における拡開ファスナ(21)は、止水ファスナとすることが、より好ましい。
止水ファスナを採用しない場合、拡開ファスナ(21)と拡開片(23)との隙間に雨水が溜まったり、着用者の身体側へ雨水が浸入したりするおそれがあるからである。
【００１６】
（第一の発明のバリエーション３）
第一の発明における拡開片(23)の開口(12)側の端部が前身頃における襟口に位置する場合において、その拡開片(23)は、着用者の胸部から喉元を通って顎に至る曲線に沿うように湾曲させて形成すると、より好ましい。
【００１７】
（作用）
第一の発明に係る上着の着用者がフード(11)を着用した場合、前身頃における胸部付近よりもフード(11)における着用者の顎に当たる位置の方が前身頃から遠ざかる位置となる。すなわち、着用者の身体側へ沿って湾曲した形状であれば、着用者への密着度を高めることができる。
【００１８】
（第一の発明のバリエーション４）
第一の発明は、以下のように形成すると、好ましい。
すなわち、前記の拡開構造(20)をフロントファスナ(13)の左右いずれか一方または双方に位置させ、拡開ファスナ(21)における開口(12)とは反対側の端部は、前身頃における切り替え線(16)よりも開口(12)側に位置させて形成する。
【００１９】
（用語説明）
「切り替え線」とは、上着を縫製する場合に両側の脇の下を結ぶ線を言う。「はぎ線」とも言う。この切り替え線を境として分割した生地を縫い合わせて上着を形成することが多い。
「拡開ファスナ(21)における開口(12)とは反対側の端部」は、この切り替え線(16)に近づける（拡開ファスナ(21)の長さを長くする）ことが望ましい。拡開片(23)における開口(12)側の寸法が同じ場合、拡開ファスナ(21)が長いほど、拡開の調整が微細に行えることとなるからである。
なお、後述する実施形態にて示すが、拡開ファスナ(21)をフロントファスナ(13)と平行となるように配置すると、デザイン的に落ち着いた感じになる。ただし、本願発明は、拡開ファスナ(21)とフロントファスナ(13)とが平行である場合に限られないし、拡開ファスナ(21)が直線的とも限られない（図５，６参照）。
【００２０】
（第一の発明のバリエーション５）
第一の発明のバリエーション４は、以下のように形成すると、より好ましい。
すなわち、前記のフード(11)における開口の大きさを調整するフードアジャスタ(15)を襟側に備えている場合に、そのフードアジャスタ(15)と前記のフロントファスナ(13)との間に前記の拡開構造(20)における拡開ファスナ(21)の端部が位置するように形成する。
【００２１】
「フードアジャスタ」とは、フード(11)の開口寸法を調整できるように、フード開口側の縁に沿ってトンネル構造を設け、そのトンネル内を貫通させる紐を着用者が緊張させたり緩めたりすることで開口寸法を調整するため、前記の紐をフード(11)の外へ引き出している部位をいう。
フード(11)における開口の大きさを調整するフードアジャスタ(15)は、襟側に備えている場合のほか、フード(11)を着用した際に着用者の頭部や耳付近となるように設けている場合がある（図７，８参照）。
【００２２】
（作用）
本発明に係る上着(10)の着用者としては、上着の着脱に関するフロントファスナ(13)、フード(11)の開口の大きさを調整するフードアジャスタ(15)、およびフード(11)の着脱時に操作する拡開ファスナ(21)が、全て近接して配置されているので、それらの操作がしやすい。
また、拡開ファスナ(21)を含めた拡開構造(20)の配置として、拡開ファスナ(21)の開放時、閉塞時を問わず、デザイン的に落ち着いた感じになる。
【発明の効果】
【００２３】
第一の発明によれば、アウトドア用の上着におけるフードの着脱動作がしやすく、フード着用時における密着感を高めた上着を提供することができた。
【図面の簡単な説明】
【００２４】
【図１】第一の実施形態に係る上着においてフードを着脱する様子を示す斜視図である。
【図２】第一の実施形態に係る上着の正面図である。
【図３】第一の実施形態に係る上着の主要部を示す拡大図である。
【図４】第一の実施形態に係る上着であって、拡開ファスナを閉じた状態を示す正面図である。
【図５】拡開ファスナの形状を異ならせた実施形態に係る上着の正面図である。
【図６】拡開ファスナの形状を異ならせた実施形態に係る上着の正面図である。
【図７】拡開ファスナの位置を異ならせた実施形態に係る上着であって、拡開ファスナを閉じた状態を示す斜視図である。
【図８】拡開ファスナの位置を異ならせた実施形態に係る上着であって、拡開ファスナを閉じた状態を示す斜視図である。
【図９】拡開構造に用いる拡開片のバリエーションを示す平面図である。
【発明を実施するための形態】
【００２５】
以下、本発明の実施形態について図面を参照して説明する。使用する図面は図１から図９であり、本発明を実施するための防風防水ウェアに係る。
【００２６】
本実施形態に係る防風防水ウェア１０は、バス釣りなど強い風を受ける場面に選択されて用いられる。バス釣りは、高速で移動可能なボートに乗船するため、強い風から身を守るため、防風および防水に優れたウェアが用いられるのである。
防風防水ウェア１０の外側の生地は、風を通さず、風雨や水しぶきなどにも強い素材が採用されている。伸縮性には乏しい。
【００２７】
頭部を覆うフード１１がウェア１０と一体となって形成されている。また、フード１１の開口部１２は、他の用途で用いるアウトドアウェアよりも狭くなるように設計されている。高速で移動する際に正面から受ける風雨、特に風に対してフードの開口縁と着用者の顔との隙間から風が吹き込まないようにする必要があるためである。
【００２８】
フード１１の開口部１２が狭いために、着用者がフード１１を被ったり脱いだりする動作は、そのままでは行いにくい。従来のバス釣り者がフード１１を被ったり脱いだりする際には、フロントファスナ１３を少し下ろし、フード１１を被ったり脱いだりする動作を終えたら、フロントファスナ１３を引き上げていた。
しかし、フロントファスナ１３を少し下ろすと、下ろされた部位までは開くので正面から向かってくる風雨が防風防水ウェア１０の中へ吹き込むこととなる。  そうした動作を円滑にするために設けられたのが、拡開構造２０である。
【００２９】
この拡開構造２０は、図３に示すように、開口１２へ向かって上着１０における生地を分離する拡開ファスナ２１と、その拡開ファスナ２１によって分離された部位を拡開ファスナ２１の内側で渡して襠となる拡開片２３と、拡開ファスナ２１を開閉するための拡開スライダ２２とからなる。
拡開片２３は、開口１２側を底辺とする二等辺三角形をなしており、「三角襠」とも呼ばれる。底辺の長さは、本実施形態では５センチメートルとした。上着１０のサイズにもよるが、３センチメートルから７センチメートルが使いやすく、デザイン的にも落ち着いている。
【００３０】
フロントファスナ１３および拡開ファスナ２１は、止水ファスナを採用している。風雨から着用者を守るためである。
拡開ファスナ２１に止水ファスナを採用することで、拡開ファスナ２１と拡開片２３との隙間に雨水が溜まったり、着用者の身体側へ雨水が浸入したりすることを抑制している。
本実施形態では、フロントファスナ１３と拡開ファスナ２１とが平行となるように配置している。ただし、本願発明では平行とは限られず、たとえば拡開ファスナ２１の下端がフロントファスナ１３へ近づくような角度へ配置しても良い。
【００３１】
拡開スライダ２２は、フロントファスナ１３のフロントスライダ１４よりも小さいものを採用している。具体的には、フロントスライダ１４がファスナの規格で「３号」、拡開スライダ２２が「５号」である。
【００３２】
上着１０の前身頃における襟口付近および拡開片２３は、着用者の身体側へ凸となるように湾曲させて形成している（図１（ｂ）参照）。着用者の身体側へ凸となるように湾曲した形状とすることで、着用者への密着度を高めている。
【００３３】
本実施形態においては、拡開構造２０は、フロントファスナ１３の左側（着用者を基準としての左、図３では右）に位置させ、拡開ファスナ２１における開口１２とは反対側の端部は、前身頃における切り替え線１６よりもやや上、わずかに開口１２側へ位置させている。その結果、拡開ファスナ２１は、本実施形態では、２５センチメートルとなっている。上着１０のサイズにもよるが、２２センチメートルから２８センチメートルが使いやすい。
【００３４】
なお、着用者が着用した状態を想定した場合に、拡開ファスナ２１がフロントファスナ１３の左側へ位置するようにしているのは、着用者が右手で操作するのに操作しやすいからである。換言すれば、拡開ファスナ２１を位置させた側の手で操作するのは、上着１０の生地が動いてしまうので操作しにくい。
【００３５】
上着１０のサイズが小さくても、拡開ファスナ２１を２０センチメートル未満とすると、上着１０の前身頃における襟口付近が湾曲しているため、対応させる拡開片２３が製造しにくく、拡開ファスナ２１の操作もしにくくなる。一方、切り替え線１６を超えて下方へ伸びるほどの寸法（上着１０のサイズにもよるがＬＬサイズにおいて３０センチメートルを超える寸法）となる拡開ファスナ２１は、上着１０の縫製上、困難である。
【００３６】
本実施形態においては、フード１１における開口の大きさを調整するフードアジャスタ１５を襟側に備えている。そして、そのフードアジャスタ１５とフロントファスナ１３との間に拡開ファスナ２１の端部を位置させている。
【００３７】
図１に示すように、本実施形態に係る上着１０の着用者がフード１２を着脱しようという場合、フロントファスナ１３とは別に備えられた拡開ファスナ２１の開け閉めは、拡開片２３が存在しているので、着用者の身体側と外気とを連通させない（図１（ｂ）および（ｃ）参照）。そのため、上着１０が備える防風性能および防水性能を大きく下げることはない。
着用者が本実施形態に係る上着１０の内側に、襟元にマフラーやネックウォーマーを別途着用していた場合に、フード１２の着脱における拡開構造２０の存在意義は特に大きい。
【００３８】
本実施形態に係る上着１０の着用者は、フード１２を着脱しようという場合に、拡開スライダ２２もフロントスライダ１４も目視できないので、手探りで操作することになる。しかし、二つのスライダの大きさが異なっているので、いずれを操作しようとするかについて、手探りで把握できる。
【００３９】
本実施形態に係る上着１０の着用者としては、上着の着脱に関するフロントファスナ１３、フード１１の開口の大きさを調整するフードアジャスタ１５、およびフード１１の着脱時に操作する拡開ファスナ２１が、全て近接して配置されているので、それらの操作がしやすい。
また、拡開ファスナ２１を含めた拡開構造２０の配置として、図２に示すように、拡開ファスナ２１の開放時、閉塞時を問わず、デザイン的に落ち着いた感じになっている。
【００４０】
図５から図８を用いて、拡開ファスナのバリエーションについて説明する。
図５に示すのは、開口１２から遠い位置でフロントファスナ１３から遠ざかるような拡開ファスナ２１Ａを採用したバリエーションである。
このような拡開ファスナ２１Ａは、上着１０の下に襟巻きやネックウォーマーなどを着用していたとしても、拡開ファスナ２１Ａを開け閉めしやすいという特徴がある。
【００４１】
図６に示すのも、拡開ファスナを取り付ける位置に関するバリエーションである。すなわち、拡開ファスナ２１Ｂは、開口１２へ近づくほどフロントファスナ１３から遠ざかるようにしている。一方、開口１２から遠い位置では、フロントファスナ１３と平行としている。
機能を重視してデザインされる傾向にある上着１０であるが、拡開ファスナを取り付ける位置については、デザイン上のアクセントになりうる。
【００４２】
図７および図８に示すのは、拡開構造２０（拡開ファスナ２１Ｂ）の配置を、襟元付近とした第一の実施形態と異なり、フード１１側に備えたものである。第一の実施形態のように拡開構造２０を配置した場合には、拡開ファスナ２１を収納ポケットなどのファスナと間違える可能性があるが、図７および図８に示す実施形態では、そのような誤解も誤使用もない。
【００４３】
図９には、拡開構造に用いる拡開片のバリエーションを平面図にて示す。
図９（ａ）に示す拡開片２３Ａは、開口側を底辺とする二等辺三角形とした三角襠である。すなわち、開口側に位置する２３ａと、その２３ａの両端を一端として他端が頂点をなす２３ｂ、２３ｂからなる。
【００４４】
図９（ｂ）に示す拡開片２３Ｂは、左右対称である。しかし、開口側に位置する２３ｃと向き合う頂点から２３ｃの両端へ向かう２３ｄ、２３ｄは、２３ｃの近傍にて円弧状をなす２３ｅ，２３ｅとなってから２３ｃの両端へ達する。
【００４５】
図９（ｂ）に示す拡開片２３Ｂについて、２３ｄ、２３ｄが頂点から２３ｃまでの距離および２３ｄ、２３ｄがなす角度を、拡開片２３Ａと同じサイズで製作したとする。そして、拡開片２３Ａと拡開片２３Ｂとを採用した上着にて比較すると、それらの開口は、２３ｃと２３ａの差分だけ拡開片２３Ｂを採用した上着の方が、開口の周囲全長が長くなる。その結果、拡開片２３Ｂを採用した上着は、密着性を保ちつつ、フードの着脱をしやすくできる。
【００４６】
図９（ｃ）に示す拡開片２３Ｃは、左右非対称である。すなわち、２３ｇよりも２３ｆの方が長い。拡開ファスナの取り付け位置や方向によっては、拡開ファスナの動きを円滑にすることに寄与する。
【産業上の利用可能性】
【００４７】
本発明は、アウトドア用品や衣料品の製造業、アウトドア用品や衣料品のレンタル業、アウトドアスポーツのインストラクター事業などにおいて、利用可能性を有する。
【符号の説明】
【００４８】
１０；  上着                    １１；  フード
１２；  開口                    １３；  フロントファスナ
１４；  フロントスライダ        １５；  フードアジャスタ
１６；  切り替え線
２０；  拡開構造                ２１；  拡開ファスナ
２２；  拡開スライダ            ２３；  拡開片（三角襠）
【図１】
2015124463.tif 000003
【図２】
2015124463.tif 000004
【図３】
2015124463.tif 000005
【図４】
2015124463.tif 000006
【図５】
2015124463.tif 000007
【図６】
2015124463.tif 000008
【図７】
2015124463.tif 000009
【図８】
2015124463.tif 000010
【図９】
2015124463.tif 000011